(57)【特許請求の範囲】
【請求項１】
幹を柱にして建築するツリーハウスの雨漏り防止構造であって、
ツリーハウスの屋根の上部に、防水シートと、吸水性と吸水した水を反対側の端部から排水する排水性を備えた不織布との二層からなる二層防水シートを、前記不織布と幹の表面とを直接接触させて幹に巻き付けることで、幹を伝って屋内に雨水が浸入することを防止するツリーハウスの雨漏り防止構造。
【請求項２】
幹を柱にして建築するツリーハウスの雨漏り防止構造であって、
ツリーハウスの屋根の上部に、防水シートと、吸水性と排水性を備えた不織布との二層からなる二層防水シートを、複数枚連続して幹に巻き付けて設置したことで、幹を伝って屋内に雨水が浸入することを防止するツリーハウスの雨漏り防止構造。
【請求項３】
前記二層防水シートは、外側の防水シートの内側が粘着性の材料からなり、この粘着力で防水シートと不織布が一体化したものであることを特徴とする請求項１または請求項２記載のツリーハウスの雨漏り防止構造。
【請求項４】
前記二層防水シートは、前記防水シートの設置時に上下方向に重なる面である重ね合わせ部を両面の粘着テープで構成されていることを特徴する請求項１、請求項２または請求項３記載のツリーハウスの雨漏り防止構造。
【請求項５】
前記二層防水シートの不織布が、ポリエステル繊維に親水処理を施したものであることを特徴とする請求項１、請求項２、請求項３または請求項４記載のツリーハウスの雨漏り防止構造。
【発明の詳細な説明】
【技術分野】
【０００１】
本発明は、ツリーハウスの雨漏り防止構造及び雨漏り防止構造に用いる二層防水シートに関する。
【背景技術】
【０００２】
現実に生きている樹木の上または生きている樹木を土台として、構築された建造物であるツリーハウスは、東南アジアや中南米などの熱帯雨林地帯において、原住民の住居として建てられてきた。これらの原住民がツリーハウスに居住してきたのは、住居を建てる土地の問題や、敵対勢力や猛獣から身を守るためであると考えられている。
ところで、近年、趣味、娯楽、レクリエーションや観光の目的でツリーハウスを建築するケースが増加している。これは、ツリーハウスに居住、滞在することで、自然と一体化した生活環境をエンジョイすることが好まれるようになったためである。よって、ツリーハウスは、一種の観光資源として認識されるようになってきている。
【０００３】
このツリーハウスを建築するには、例えば、枝の少ない針葉樹、枝に広がりのある広葉樹などが用いられ、各樹木の大きさ、高さ、強さ、堅さ、太さ、枝振り、生育場所、当該樹木の成長状況などを考慮して設計する必要がある。別言すれば、各樹木の状況に応じて、自由な発想と創造力でツリーハウスの設計を行うことが、ツリーハウスの大きな魅力ともなっている。
【０００４】
ここで、枝の少ない針葉樹を用いてツリーハウスを建築する場合、針葉樹は幹が垂直に直立しているため、幹を柱として用いることができる。このように、幹を柱にすると頑丈で見栄えのよいツリーハウスを建築できる反面、設計上、屋根に幹を貫通させる必要があるため、屋根と幹との隙間から雨漏りが発生する。
【先行技術文献】
【特許文献】
【０００５】
【特許文献１】特開平１０−１４０７５５号公報
【発明の概要】
【発明が解決しようとする課題】
【０００６】
一般に、樹木の表面には凹凸があり、樹皮は水を通す繊維でできているので、樹皮は必然的に雨水を通してしまう。
図６は、従来の防水性のシート３００を用いた雨漏り防止構造を示した図である。防水性のシート３００を幹（柱）５００に巻き付けてゴム紐４００などで強固に縛って、雨水に対する防水を行っている。上記したように、幹５００の表面は、樹皮であるため、防水性のシート３００をゴム紐４００で、可能な限り密着させるように縛っても、図６の矢印で示すように不可避的に一部の雨水が、幹５００と屋根１００の隙間２００から浸入してしまう。
また、水槽のガラス接合部に用いられるシリコン樹脂で幹５００と屋根１００の隙間２００をコーティングしてもやはり雨水は浸入する。樹皮は常に成長し、古い樹皮が剥がれていくので隙間は徐々に大きくなり、更に雨漏りは増大する。
特許文献１記載の発明のように、隅棟の雨漏りを防止する構造は、比較的簡単な構造で、且つ低コストな雨漏り防止構造が提案されている。
しかしながら、ツリーハウスで幹を柱にする場合、成長していく樹木を対象とし、重量についても制限があるため、通常の家屋で用いる技術（例えば特許文献１記載の発明）では、対応することができない。
そこで、本発明の第１の目的は、軽量且つ比較的簡単な構造で、可能な限りツリーハウスの雨漏りを防止する構造を提供することである。
本発明の第２の目的は、ツリーハウスの雨漏り防止構造を用いて、設置が容易で、効率的に雨漏り防止を行うことができる二層防水シートを提供することである。
【課題を解決するための手段】
【０００７】
請求項１記載の発明では、幹を柱にして建築するツリーハウスの雨漏り防止構造であって、ツリーハウスの屋根の上部に、防水シートと、吸水性と吸水した水を反対側の端部から排水する排水性を備えた不織布との二層からなる二層防水シートを、前記不織布と幹の表面とを直接接触させて幹に巻き付けることで、幹を伝って屋内に雨水が浸入することを防止するツリーハウスの雨漏り防止構造を提供する。
請求項２記載の発明では、幹を柱にして建築するツリーハウスの雨漏り防止構造であって、
ツリーハウスの屋根の上部に、防水シートと、吸水性と排水性を備えた不織布との二層からなる二層防水シートを、複数枚連続して幹に巻き付けて設置したことで、幹を伝って屋内に雨水が浸入することを防止するツリーハウスの雨漏り防止構造を提供する。
請求項３記載の発明では、前記二層防水シートは、外側の防水シートの内側が粘着性の材料からなり、この粘着力で防水シートと不織布が一体化したものであることを特徴とする請求項１または請求項２記載のツリーハウスの雨漏り防止構造を提供する。
請求項４記載の発明では、前記二層防水シートは、前記防水シートの設置時に上下方向に重なる面である重ね合わせ部を両面の粘着テープで構成されていることを特徴する請求項１、請求項２または請求項３記載のツリーハウスの雨漏り防止構造を提供する。
請求項５記載の発明では、前記二層防水シートの不織布が、ポリエステル繊維に親水処理を施したものであることを特徴とする請求項１、請求項２、請求項３または請求項４記載のツリーハウスの雨漏り防止構造を提供する。
【発明の効果】
【０００８】
本発明によれば、樹木の幹を柱としたツリーハウスにおいて、軽量且つ比較的簡単な構造で、効率的に雨漏りを防止することができる。
また、本発明に係る二層防水シートを用いれば、比較的簡単な施工で、効率的に雨漏り防止を行うことができる。
【図面の簡単な説明】
【０００９】
【図１】本実施形態に係る雨漏り防止構造の構成を説明するための図である。
【図２】本実施形態に係る二層防水シートを説明するための図である。
【図３】本実施形態に係る二層防水シートの設置を説明するための図である。
【図４】本実施形態に係る二層防水シートを設置した際の断面を示した図である。
【図５】本実施形態に係る二層防水シートを設置した際の外観を示した図である。
【図６】従来の雨漏り防止構造を説明するための図である。
【発明を実施するための形態】
【００１０】
（１）実施形態の概要
以下、本発明の好適な実施形態を図１から図５を参照して、詳細に説明する。
図１は、本実施形態に係るツリーハウスにおける雨漏り防止構造の構成を示した図である。
この図に示すように、このツリーハウスの雨漏り防止構造は、樹木（例えば針葉樹）の幹５００にツリーハウス１０の屋根１００が貫通して設置されている。針葉樹は、直立性が高く、ツリーハウス１０の柱として用いるのに都合がよい。このように、針葉樹の幹５００を柱として用いると見栄えがよく、頑強で安定性の高いツリーハウスを建築できるとされている。
この樹木の幹５００と屋根１００との間には、不可避的に隙間２００が生じる。そのため、この屋根１００の上部に、複数枚の二層防水シート５０ａ、５０ｂ、５０ｃを設置することによって、各々が樹木の幹５００を伝って、隙間２００に入り込む雨水を吸収し、屋根１００の上に排水する。こうすることで、ツリーハウス１０における樹木の幹５００と屋根１００との隙間２００からの雨漏りを防止することができる。
【００１１】
（２）実施形態の詳細
図１に示すツリーハウス１０は、樹木の幹５００を柱として建築されている。
このように、幹５００を柱として用いるため、屋根１００を幹５００が貫通する構造にしている。幹５００が屋根１００を貫通するようにするためには、屋根１００を２分割し、分割した双方の対応する１辺に可能な限り幹５００の形状に近い半円形の孔１５０を設ける。
そして、この孔１５０で、幹５００を両側から取り囲むようにして両者を接着し、屋根１００を設置する。図１に示す屋根１００の形状は、平面状の陸屋根であるが、一方に傾斜がある片流れ屋根、両方に傾斜のある切妻屋根であってもよい。何れの形状の屋根であっても、防水処理を施すことが必要である。また、切妻屋根の場合、屋根の棟部分を覆う金属板である棟包み板を設置して雨水の浸入を防ぐのが望ましい。
【００１２】
この屋根１００の下部には、床部が設けられ、両者の間に通常の住居としての居住部が存在する。
また、幹５００（樹木）は、下部は地面に根を張っており、上部は樹木としての葉が茂っている。場合によっては、複数の枝が横方向に延びていることもある。枝によって、床部を支える構造にしてもよい。
【００１３】
屋根１００の半円形の孔１５０を幹５００の形状に合わせて形成しても、幹５００と屋根１００の接触部分には、雨水を通過させてしまう隙間２００が、どうしても生じてしまう。
まず、この隙間２００の上部に、図６に示す従来技術と同様に、防水性シート３００を幹５００に巻き付けることにより配置する。この巻き付けには、ゴム紐４００を用いて、幹５００に強固に固定する。
続いて、この上部に二層防水シート５０を設置する。この図に示す実施形態では二層防水シート５０を三層にして設置しているが、単層または二層であってもよい。また、四層以上であってもよい。設置状況に応じて、適宜層数を選択すればよい。
また、この実施形態では、隙間２００をシリコン樹脂でコーティングするようにしてもよい。
【００１４】
図２は、この二層防水シート５０を説明するための図である。
この二層防水シート５０は、防水シート６０と吸水性と排水性の高い不織布７０とを貼り合わせて形成されている。
防水シート６０は、例えば、ゴムシート、塩化ビニールシートを用いる。防水性があれば、他の材質のシートであってもよい。
【００１５】
不織布とは、糸の形態を経ずに、繊維シート（ウェブ）を機械的・化学的・熱的に処理し、接着剤や繊維自信の融着力で接合している布をいう。通常は、強度を増すためと繊維の固定に熱プレス・高圧水流法などによりシート状として形成される。不織布は、工業的に大量生産が可能なため、比較的安価に取得することができる。
この実施形態で用いる不織布７０は、吸水性と排水性の高いものを採用する。具体的には、ポリエステル繊維に親水処理を施したものが好ましい。親水処理としては、例えば、ダイレクトプラズマとジェットで親水処理をする、不織布製造工程で親水剤を添加するなどの方法があげられる。
二層防水シート５０を形成する際、防水シート６０と不織布７０とを接着剤で貼り合わせてもよい。
また、防水シート６０自体に粘着テープ（防水加工されているもの）を用いてもよい。
【００１６】
図３は、この二層防水シート５０を幹５００に巻き付けるところ（設置）を説明するための図である。
この二層防水シート５０は、設置した際、下方に膨らむ形状（スカート状）とするため、Ｘ側がＹ側より短い台形状になっている。二層防水シート５０のサイズは、Ｘ側が幹５００の周囲よりも大きい値となるようにする。よって、幹５００のサイズに応じて適宜選定する必要がある。
設置の際は、不織布７０側を内側（幹５００側）とする。こうすることで、不織布７０と幹５００の表面が直接接触することとなる。
この二層防水シート５０は、幹５００と直接接触する端部Ｘ（上側）から雨水を吸水し、反対側（下側）の端部Ｙから排水する。
【００１７】
次に、二層防水シート５０を設置する際、上下方向に重なる重ね合わせ部Ｗについて説明する。
上記したように、二層防水シート５０のサイズは、Ｘ側が幹５００の周囲よりも大きい値としてある。これは、二層防水シート５０の両端を重ね合わせて接着するための「のり代」（重ね合わせ部）とするためである。図３では、Ｗで表してある。
この重ね合わせ部Ｗのサイズは、重ね合わせ部Ｗが、全体の１０％程度から５０％の間で適宜設定する。
この重ね合わせ部Ｗで、内側（覆われる側）となる防水シート６０の外側（接着面）と外側（覆う側）となる不織布７０の内側とを接着剤で貼り合わせて、二層防水シート５０を設置する。
この重ね合わせ部Ｗの防水シート６０の外側に予め接着力のある材料を塗布しておくようにしてもよい。こうすることで、二層防水シート５０の設置作業が容易になる。
そのため、二層防水シート５０の重ね合わせ部Ｗの部分にのみ、防水シート６０を両面粘着テープ構成にしてもよい。内側は不織布７０と接着し、外側は重ね合わせた不織布７０の内側と接着する。このとき、作業前に他の材料と接着しないように、防水シート６０の重ね合わせ部Ｗには、予め剥離紙を貼付しておくことが望ましい。
【００１８】
図４は、本実施形態に係る二層防水シートを設置した際の断面を示した図である。
また、図５は、本実施形態に係る二層防水シートを設置した際の外観を示した図である。
この図に示す実施形態では、二層防水シート５０を三段（５０a、５０ｂ、５０ｃ）設置している。また、従来技術である、防水性のシート３００も設置している。
二層防水シート５０は、図４、図５に示すように、上下方向に重なり合うように設置してもよいが、これに限定されることはなく、例えば、一定の距離をおいて離れて設置するようにしてもよい。
【００１９】
本発明の実施形態によれば、幹５００を伝って、侵入する雨水は、幹５００と接触して設置された二層防水シート５０の不織布７０の上端部Ｘより吸水され、下端部Ｙより排水される。
この二層防水シート５０を複数段に渡って設置すれば、より確実に隙間２００からの雨水の浸入を防止できる。
【００２０】
本発明の実施形態に係る二層防水シート５０は、防水シート６０と吸水性と排水性の高い不織布７０の二層構造のシートである。
この二層防水シート５０を設置する際、作業性を向上させるため、予め接着力のある重ね合わせ部Ｗを形成しておくことが望ましい。
なお、従来技術である防水性のシート３００や、隙間２００をシリコン樹脂でコーティングすることを併せて用いるようにしてもよい。
【符号の説明】
【００２１】
１０  ツリーハウス
５０  二層防水シート
６０  防水シート
７０  不織布
１００  屋根
１５０  孔
２００  隙間
３００  防水性のシート
４００  ゴム紐
５００  幹
【要約】
【課題】軽量且つ比較的簡単な構造で、可能な限りツリーハウスの雨漏りを防止する構造を提供すること。
【解決手段】幹５００を柱として用いるツリーハウスでは、樹木の幹５００と屋根１００との間には、不可避的に隙間２００が生じる。そのため、この屋根１００の上部に、複数枚の二層防水シート５０ａ、５０ｂ、５０ｃを設置することによって、各々が樹木の幹５００を伝って、隙間２００に入り込む雨水を吸収し、屋根１００の上に排水する。こうすることで、ツリーハウス１０における樹木の幹５００と屋根１００との隙間２００からの雨漏りを防止することができる。
【選択図】図１【図１】
0006744644.tif 000002
【図２】
0006744644.tif 000003
【図３】
0006744644.tif 000004
【図４】
0006744644.tif 000005
【図５】
0006744644.tif 000006
【図６】
0006744644.tif 000007